(57)【要約】  手乾燥装置（１００）においては、箱体（１）の正面及び側面に開口して、手を収納できる広さを有する手挿入部（２）に、箱体（１）に設けられた高速空気流を発生する高圧空気流発生装置（３）により手挿入部（２）の互いに対向した面にそれぞれ配置されたノズル（４ａ，４ｂ）から高速空気流を噴出させる。ノズル（４ａ，４ｂ）を、複数のノズル穴が手挿入部の左右方向に列状に並んで形成された穴列で構成して、穴列の中央部から噴出する高速空気流の風量を他の部分から噴出する風量に比べて多くしている。
2008001436.tif 000002
【特許請求の範囲】
【請求項１】
箱体の正面に開口し、又は正面及び側面に開口して、手を収納できる広さを有する手挿入部に、前記箱体に設けられた高速空気流を発生する高圧空気流発生装置により前記手挿入部の互いに対向した面にそれぞれ配置されたノズルから高速空気流を噴出させる手乾燥装置において、
前記ノズルを、複数のノズル穴が前記手挿入部の左右方向に列状に並んで形成された穴列で構成して、前記穴列の中央部から噴出する高速空気流の風量を他の部分から噴出する風量に比べて多くした
ことを特徴とする手乾燥装置。
【請求項２】
単位面積あたりのノズル穴の占める割合を前記穴列の中央部で大きく他の部分で小さくすることにより、前記穴列の中央部から噴出する高速空気流の風量を他の部分から噴出する風量に比べて多くした
ことを特徴とする請求項１に記載の手乾燥装置。
【請求項３】
前記穴列の中央部のノズル穴の穴径が他の部分のノズル穴の穴径より大きいことを特徴とする請求項１または２に記載の手乾燥装置。
【請求項４】
前記穴列の中央部のノズル穴のピッチが他の部分のノズル穴のピッチより小さいことを特徴とする請求項１または２に記載の手乾燥装置。
【請求項５】
前記穴列の中央部のノズル穴の穴形状が、前記穴列の他の部分に形成された円形状のノズル穴の複数ピッチ分の長さを有するスリット形状である
ことを特徴とする請求項１または２に記載の手乾燥装置。
【請求項６】
前記穴列の中央部のノズル穴の上下方向の段数が、前記穴列の他の部分のノズル穴の上下方向の段数より多いことを特徴とする請求項１または２に記載の手乾燥装置。
【請求項７】
前記中央部に設けられたノズル穴の複数段が、スリット形状のノズル穴の段と円形状のノズル穴の段とを含むことを特徴とする請求項６に記載の手乾燥装置。
【請求項８】
前記中央部に設けられたノズル穴の複数段が、複数段のスリット形状のノズル穴の段を含むことを特徴とする請求項６に記載の手乾燥装置。
【請求項９】
前記穴列の中央部に設けられたスリット形状のノズル穴の上下方向の幅の大きさが、前記穴列の他の部分に設けられたスリット形状のノズル穴の上下方向の幅の大きさをよりも大きいことを特徴とする請求項１または２に記載の手乾燥装置。
【請求項１０】
複数のノズル穴でなる穴組が手挿入部の左右方向に複数個並んで前記穴列が形成されており、中央部に設ける前記穴組をノズル穴が左右方向と上下方向に並ぶ形状のものとして、他の部分に設ける前記穴組をノズル穴が左右方向のみに並ぶ形状のものとされている
ことを特徴とする請求項１または２に記載の手乾燥装置。
【請求項１１】
前記中央部に設けられた前記穴組のピッチが、前記穴列の他の部分に設けられた前記穴組のピッチより小さいことを特徴とする請求項１０に記載の手乾燥装置。
【請求項１２】
前記中央部に設けられた前記穴組のノズル穴の穴径が、前記他の部分に設けられた前記穴組のノズル穴の穴径より大きいことを特徴とする請求項１０に記載の手乾燥装置。
【請求項１３】
複数のノズル穴でなる穴組及びスリット形状のノズル穴が手挿入部の左右方向に複数個並んで前記穴列が形成されており、中央部に左右方向と上下方向に長いスリット形状のノズル穴が設けられ、他の部分に一列に並ぶノズル穴の前記穴組が設けられていることを特徴とする請求項１または２に記載の手乾燥装置。
【発明の詳細な説明】
【技術分野】
【０００１】
本発明は、洗浄後の濡れた手を高速空気流の噴射によって衛生的に乾燥処理する手乾燥装置に関するものである。
【背景技術】
【０００２】
濡れた手を乾燥させるための手乾燥装置は、以下のような構成とされている。すなわち、手乾燥装置の外殻を構成する箱体に、正面及び側面に開口を有して手を収納できる広さの手挿入部が設けられており、箱体内部には高速空気流を発生する高圧空気流発生装置が内蔵されている。手挿入部の内壁の互いに対向した２面にそれぞれノズルが設けられている。高圧空気流発生装置は、箱体の外表部に設けられた吸気口から吸い込んだ空気を高速空気流にして上記ノズルから手挿入部内に吹き出す。【０００３】
このような構成の手乾燥装置において、使用者が手挿入部へ手を挿入すると、手挿入部に設けられたセンサがこれを検知して高圧空気流発生装置が作動し、高圧空気が対向するノズルから手挿入部内に噴出され、濡れた手に付着していた水滴を吹飛ばし乾燥させる（例えば、特許文献１参照）。【０００４】
【特許文献１】特開平７−１１６０７６号公報
【発明の開示】
【発明が解決しようとする課題】
【０００５】
しかしながら、上述のような構成の従来の手乾燥装置において、洗浄後の濡れた手の親指付近の水滴を十分吹き飛ばすことができないという課題があった。この現象の原因は以下の点にある。すなわち、使用者が手挿入部に手を自然に入れた状態で、親指は手挿入部の左右方向中央部付近に位置する。そして、前後方向に位置に関しては、親指は手挿入部の奥側の面から遠く逆に手前側の面に近く偏った場所に位置することとなる。そのため、奥側の面に設けられたノズルからの距離が大きくなり空気が減衰して十分に届かないので水滴を効率よく吹き飛ばすことができない。【０００６】
本発明は、上記課題を解決するためになされたもので、乾燥能力を向上させて、例えば手挿入部の中央部付近に偏って位置する親指部の水滴であっても効率よく十分に吹き飛ばすことができる手乾燥装置を得ることを目的とする。
【課題を解決するための手段】
【０００７】
上記課題を解決するために、本発明にかかる手乾燥装置は、箱体の正面に開口し、又は正面及び側面に開口して、手を収納できる広さを有する手挿入部に、箱体に設けられた高速空気流を発生する高圧空気流発生装置により手挿入部の互いに対向した面にそれぞれ配置されたノズルから高速空気流を噴出させる手乾燥装置において、ノズルを、複数のノズル穴が手挿入部の左右方向に列状に並んで形成された穴列で構成して、穴列の中央部から噴出する高速空気流の風量を他の部分から噴出する風量に比べて多くしたことを特徴とする。
【発明の効果】
【０００８】
この発明にかかる手乾燥装置によれば、ノズルの穴列の中央部から噴出する高速空気流の風量を他の部分から噴出する風量に比べて多くしたので、乾燥能力を向上させて、例えば手挿入部の中央部付近に偏って位置する親指部の水滴であっても効率よく十分に吹き飛ばすことができる。
【図面の簡単な説明】
【０００９】
【図１】図１は本発明にかかる手乾燥装置の実施の形態１の縦断面図である。
【図２】図２は実施の形態１の吹出ノズルの形状を示す図である。
【図３】図３は実施の形態２の吹出ノズルの形状を示す図である。
【図４】図４は実施の形態３の吹出ノズルの形状を示す図である。
【図５】図５は実施の形態４の吹出ノズルの形状を示す図である。
【図６】図６は実施の形態５の吹出ノズルの形状を示す図である。
【図７】図７は実施の形態６の吹出ノズルの形状を示す図である。
【図８】図８は実施の形態７の吹出ノズルの形状を示す図である。
【図９】図９は実施の形態８の吹出ノズルの形状を示す図である。
【図１０】図１０は実施の形態９の吹出ノズルの形状を示す図である。
【図１１】図１１は実施の形態１０の吹出ノズルの形状を示す図である。
【図１２】図１２はノズルから高速空気流を噴出したときの距離と速度の関係をノズル穴単体のものと比較して示すグラフである。
【符号の説明】
【００１０】
１  箱体
２  手挿入部
３  高圧空気流発生装置
４ａ  前側ノズル
４ｂ  奥側ノズル
５  排水口
６  排水管
７  ドレンタンク
８  高圧空気流発生装置の吸込口
９  吸気口
１０  フィルタ
１１  吸気ダクト
１２  チャンバー
１３  排気ダクト
１４，１５，１７，１９，２１  穴組
１６，１８，２２  スリット形状のノズル穴
【発明を実施するための最良の形態】
【００１１】
以下、本発明にかかる手乾燥装置の実施の形態を図面に基づいて詳細に説明する。なお、この実施の形態によりこの発明が限定されるものではない。【００１２】
実施の形態１．
図１は本発明にかかる手乾燥装置の実施の形態１の縦断面図である。図１において、手乾燥装置１００は、外殻を構成する箱体１と、箱体１内部に収納された高圧空気流発生装置３を有している。箱体１には正面と側面とが開口した断面Ｕ字形状の手挿入部２が設けられている。手挿入部２は使用者が手を収納できる広さを持っている。手挿入部２の互いに対向した面には、高速空気流を噴出する前側ノズル４ａと奥側ノズル４ｂとが設けられている。【００１３】
手挿入部２の底部に排水口５が設けられている。排水口５には、手挿入部２にて集められた水を、箱体１の下部に設けられたドレンタンク７に導くための排水管６が接続されている。高圧空気流発生装置３の吸込口８と箱体１の下方に設けられた吸気口９との間には、吸気口９から吸い込んだ空気を高圧空気流発生装置３に供給する吸気ダクト１１が設けられている。吸気ダクト１１の上流（高圧空気流発生装置３側）にチャンバー１２が形成されている。吸気口９はフィルタ１０で覆われている。高圧空気流発生装置３と手挿入部２との間には、高圧空気流発生装置３が発生した高圧空気流を前側ノズル４ａ及び奥側ノズル４ｂに導く排気ダクト１３が設けられている。【００１４】
このように構成された手乾燥装置１００においては、手挿入部２へ手を挿入すると、手挿入部２内に設けられた図示しないセンサがこれを検知して高圧空気流発生装置３が作動する。高圧空気流発生装置３が作動すると、吸気口９から吸い込まれた空気が吸気ダクト１１を経由して吸込口９から高圧空気流発生装置３に入り高圧化される。【００１５】
高圧空気流発生装置３により高圧化された空気は、排気ダクト１３を通り、前側ノズル４ａ及び奥側ノズル４ｂから高速空気流として手挿入部２内に噴出される。この高速空気流が濡れた手に当たり手に付着している水滴を吹飛ばし手を乾燥させる。吹き飛ばされた水滴は手挿入部２の内壁をつたわって下方に流れ、排水口５より排水管６を通ってドレンタンク７に溜まる。【００１６】
上述のように、手乾燥装置においては手に残る水滴量が比較的多い手の親指の部分の水滴を効率よく吹き飛ばすことが課題とされている。本実施の形態においては、この課題を解消するために、手挿入時の親指の部分にあたる手挿入部２の中央部から噴出する高速空気流の風量を従来のものに比べて多くしている。より具体的には、手挿入部２の内壁の単位面積あたりのノズル穴の占める割合を、手挿入部２の中央部で大きく他の部分で小さくすることにより、手挿入部２の中央部から噴出する高速空気流の風量を他の部分から噴出する風量に比べて多くしている。【００１７】
なお、本実施の形態の高圧空気流発生装置３は、従来のものと同様なものを使用しているが、手挿入部２の中央部での風量の増大にともない送風能力の大きな高圧空気流発生装置に変更してもよい。これにより、手挿入部２の中央部以外の部分にて風量を落とすことなく、中央部の風量を確実に増やすことができる。【００１８】
図２は本実施の形態の前側ノズル４ａ及び奥側ノズル４ｂの形状を示す図である。対向して設けられた前側ノズル４ａ及び奥側ノズル４ｂは同一の穴形状を成している。図２において、前側ノズル４ａ及び奥側ノズル４ｂをノズル４Ａとして示す。ノズル４Ａは、複数のノズル穴が手挿入部２の左右方向に列状に並んで形成された穴列で構成されている。さらに詳細には、この穴列は、ノズル穴が１列に整列してなる穴組１４，１７が縦列に並んで穴列が形成されている。穴列（ノズル）の全体の長さ（左右方向幅寸法）は、両手を広げて並べた程度の長さ（約２５０ｍｍ）とされている（広げた両手を両親指を内側にして並べた場合を想定している）。そのうち、中央部に設けられた穴組１７の長さ（左右方向幅寸法）は、並んだ両親指の占める左右方向幅寸法程度の長さとされている。そして、本実施の形態においては、中央部に設けられた穴組１７のノズル穴の直径Ｄ１７が、他の部分（中央部以外の部分）に設けられた穴組１４のノズル穴の直径Ｄ１４に比べて大きくされている。そしてこの構成により、左右方向に延びる穴列の中央部から噴出する高速空気流の風量が、他の部分から噴出する風量に比べて多くなるようにされている。また、本実施の形態においては、ノズル穴の直径を大きくしているが、ノズル穴の直径を大きくすることにより中心風速の減衰を少なくすることができるという効果も発生する。【００１９】
このような構成の手乾燥装置においては、穴列の中央部から噴出する高速空気流の風量を多くすることができるとともに、中央部での高速空気流の風速の減衰を少なくすることができるので、手に衝突する高速空気流の量を多く且つ速度を速くすることができる。これにより、手に残る水滴量が比較的多い親指部の水滴を効率よく吹き飛ばすことが可能となり、効率の良い乾燥性能の手乾燥装置とすることができる。【００２０】
実施の形態２．
図３は本発明にかかる手乾燥装置の実施の形態２の前側ノズル及び奥側ノズルの形状を示す図である。本実施の形態のノズル４Ｂにおいては、複数個のノズル穴が１列に整列してなる穴組１４，１５が複数組に並んで穴列が形成されている。穴列（ノズル）の全体の長さは、両手を広げて並べた程度の長さとされている。そのうち、中央部に設けられた穴組１５の長さは、並んだ両親指の占める左右方向幅寸法程度の長さとされている。そして、本実施の形態においては、中央部に設けられた穴組１５のノズル穴のピッチＰ１５が、他の部分に設けられた穴組１４のノズル穴のピッチＰ１４に比べて小さくされており、これにより穴列の中央部から噴出する高速空気流の風量が、他の部分から噴出する風量に比べて多くなるようにされている。その他の構成は実施の形態１と同様である。【００２１】
図１２はノズルから高速空気流を噴出したときの距離と速度の関係をノズル穴単体のものと比較して示すグラフの図である。横軸はノズル４Ｂからの距離［ｍｍ］を示し、縦軸はその距離での高速空気流の速度［ｍ／ｓ］を示している。図中黒丸は、本実施の形態のノズル４Ｂのピッチが小さくされた中央部での距離と速度の関係を表している。一方、図中白丸は、同じ穴径のノズル穴単体（ピッチが十分に大きいと考えてよい）の場合の距離と速度の関係を表している。図１２において、ノズル４Ｂからの距離が遠くなればなるほど、高速空気流の速度は遅くなる（速度減衰する）ことが解る。しかしながら、本実施の形態のノズル４Ｂのようにノズル穴が所定のピッチ以下で相互に近づき合っていると、相互のノズル穴から噴出する高速空気流の合流により周囲空気の巻き込み量が少なくなり速度減衰が抑制される。つまり、中央部での高速空気流の速度が従来のものより速くなる。そして、この速度減衰抑制の効果は、種々のテストによりピッチが短かなるほど大きくなることが解っている。この効果により、中央部において手に残る水滴量が比較的多い手の親指部の水滴を吹き容易に飛ばすことが可能となる。【００２２】
実施の形態３．
図４は本発明にかかる手乾燥装置の実施の形態３の前側ノズル及び奥側ノズルの形状を示す図である。本実施の形態のノズル４Ｄにおいては、複数のノズル穴でなる穴組１４と手挿入部の左右方向に長いスリット形状のノズル穴１６が手挿入部の左右方向に複数並んで穴列が形成されている。穴列（ノズル）の全体の長さは、両手を広げて並べた程度の長さとされている。そのうち、中央部に設けられたスリット形状のノズル穴１６の長さは、並んだ両親指の占める左右方向幅寸法程度の長さとされている。そして、穴列の中央部に形成されたスリット形状のノズル穴１６の左右方向の長さＷ１６が、穴列の他の部分に形成された円形状のノズル穴１４の複数ピッチ分の長さとされており、これにより、穴列の中央部から噴出する高速空気流の風量が多くなるようにされている。【００２３】
このような構成の手乾燥装置においては、穴列の中央部から噴出する高速空気流の風量を多くすることができるとともに、スリット形状のノズル穴は均一噴流により風速の減衰を少なくすることができるので、手に衝突する高速空気流の量を多く且つ速度を速くすることができ、乾燥性能の手乾燥装置とすることができる。そして、この効果により、手に残る水滴量が比較的多い手の親指部の水滴を吹き飛ばすことが可能となる。【００２４】
実施の形態４．
図５は本発明にかかる手乾燥装置の実施の形態４の前側ノズル及び奥側ノズルの形状を示す図である。本実施の形態のノズル４Ｅにおいては、ピッチを小さくされた複数個のノズル穴が１列に整列してなる穴組１５が、中央部において上下方向に２段重ねて形成されている。そして、他の部分には、ピッチが大きい複数個のノズル穴が１列に整列してなる穴組１４が形成されている。穴列（ノズル）の全体の長さは、両手を広げて並べた程度の長さとされている。そのうち、中央部に設けられた穴組１５の長さは、並んだ両親指の占める左右方向幅寸法程度の長さとされている。このような構成とすることにより、穴列の中央部から噴出する高速空気流の風量が多くなるようにされている。【００２５】
このような構成の手乾燥装置においては、手挿入部の中央部から噴出する高速空気流の風量をさらに多くすることができ、また、合流の効果がさらに働いて風速の減衰を少なくすることができるので、手に衝突する高速空気流の量を多く且つ速度を速くすることができ、効率の良い乾燥性能の手乾燥装置とすることができる。【００２６】
実施の形態５．
図６は本発明にかかる手乾燥装置の実施の形態６の前側ノズル及び奥側ノズルの形状を示す図である。本実施の形態のノズル４Ｆにおいては、ピッチを小さくされた複数個のノズル穴が１列に整列してなる穴組１５と、穴組１５と同じ長さを有するスリット形状のノズル穴１６とが、中央部において、上下方向に２段重ねて形成されている。そして、他の部分には、ピッチが大きい複数個のノズル穴が１列に整列してなる穴組１４が形成されている。穴列（ノズル）の全体の長さは、両手を広げて並べた程度の長さとされている。そのうち、中央部に設けられた穴組１５及びスリット形状のノズル穴１６の長さは、並んだ両親指の占める左右方向幅寸法程度の長さとされている。このようにして、穴列の中央部から噴出する高速空気流の風量が多くなるようにされている。【００２７】
このような構成の手乾燥装置においては、手挿入部の中央部から噴出する高速空気流の風量をさらに多くすることができるとともに、スリット形状のノズル穴は均一噴流により風速の減衰をさらに少なくすることができるので、手に衝突する高速空気流の量を多く且つ速度を速くすることができ、乾燥性能の手乾燥装置とすることができる。【００２８】
実施の形態６．
図７は本発明にかかる手乾燥装置の実施の形態６の前側ノズル及び奥側ノズルの形状を示す図である。本実施の形態のノズル４Ｇにおいては、スリット形状のノズル穴１６が中央部に上下方向に２段重ねて形成されている。そして、他の部分には、ピッチが大きい６個のノズル穴が１列に整列してなる穴組１４が形成されている。穴列（ノズル）の全体の長さは、両手を広げて並べた程度の長さとされている。そのうち、中央部に設けられたスリット形状のノズル穴１６の長さは、並んだ両親指の占める左右方向幅寸法程度の長さとされている。このようにして、穴列の中央部から噴出する高速空気流の風量が多くなるようにされている。【００２９】
このような構成の手乾燥装置においては、手挿入部の中央部から噴出する高速空気流の風量をさらに多くすることができるとともに、スリット形状のノズル穴は均一噴流により風速の減衰をさらに少なくすることができるので、手に衝突する高速空気流の量を多く且つ速度を速くすることができ、乾燥性能の手乾燥装置とすることができる。【００３０】
実施の形態７．
図８は本発明にかかる手乾燥装置の実施の形態７の前側ノズル及び奥側ノズルの形状を示す図である。本実施の形態のノズル４Ｈにおいては、中央部に設けられたスリット形状のノズル穴１８の上下方向の幅Ｈ１８の大きさが、他の部分に設けられたスリット形状のノズル穴１６の上下方向の幅Ｈ１６の大きさよりも大きくされている。穴列（ノズル）の全体の長さは、両手を広げて並べた程度の長さとされている。そのうち、中央部に設けられたノズル穴１８の長さは、並んだ両親指の占める左右方向幅寸法程度の長さとされている。これにより穴列の中央部から噴出する高速空気流の風量が多くなるようにされている。【００３１】
このような構成の手乾燥装置においては、手挿入部の中央部から噴出する高速空気流の風量をさらに多くすることができるとともに、スリット形状のノズル穴は均一噴流により風速の減衰をさらに少なくすることができるので、手に衝突する高速空気流の量を多く且つ速度を速くすることができ、乾燥性能の手乾燥装置とすることができる。【００３２】
実施の形態８．
図９は本発明にかかる手乾燥装置の実施の形態８の前側ノズル及び奥側ノズルの形状を示す図である。本実施の形態のノズル４Ｉにおいては、複数のノズル穴でなる穴組が手挿入部の左右方向に複数個並んで穴列が形成されており、中央部に設ける穴組１９をノズル穴が左右方向と上下方向に十文字型に並ぶ形状のものとして、他の部分に設ける穴組１４をノズル穴が左右方向のみに並ぶ形状のものとすることにより、穴列の中央部から噴出する高速空気流の風量を多くしている。そしてさらに、中央部に設ける穴組１９のノズル穴のピッチを穴組１４のノズル穴のピッチより小さいものとして、穴列の中央部から噴出する高速空気流の風量をさらに多くしている。穴列（ノズル）の全体の長さは、両手を広げて並べた程度の長さとされている。そのうち、中央部に設けられた穴組１９の左右方向長さは、並んだ両親指の占める左右方向幅寸法程度の長さとされている。【００３３】
このような構成の手乾燥装置においては、手挿入部の中央部から噴出する高速空気流の風量をさらに多くすることができ、また、合流の効果を上下方向にも働かせて風速の減衰を少なくすることができるので、手に衝突する高速空気流の量を多く且つ速度を速くすることができ、効率の良い乾燥性能の手乾燥装置とすることができる。【００３４】
なお、本実施の形態の穴組１９においては、ノズル穴が左右方向と上下方向に十文字型に並ぶ形状のものとしているが、概略左右方向と上下方向に並ぶ形状のものであればよく、例えば、斜めに交わるものであってもＴ字型に並ぶものであっても所定の効果は得ることができる。【００３５】
実施の形態９．
図１０は本発明にかかる手乾燥装置の実施の形態９の前側ノズル及び奥側ノズルの形状を示す図である。本実施の形態のノズル４Ｊにおいては、中央部に設ける穴組２１をノズル穴が左右方向と上下方向に並ぶ形状のものとして、他の部分に設ける穴組１４をノズル穴が左右方向のみに並ぶ形状のものとすることにより、穴列の中央部から噴出する高速空気流の風量を多くしている。そしてさらに、中央部に設ける穴組２１のノズル穴の穴径を穴組１４のノズル穴の穴径よりも大きいものとすることにより、穴列の中央部から噴出する高速空気流の風量をさらに多くしている。穴列（ノズル）の全体の長さは、両手を広げて並べた程度の長さとされている。そのうち、中央部に設けられた穴組２１の左右方向長さは、並んだ両親指の占める左右方向幅寸法程度の長さとされている。【００３６】
このような構成の手乾燥装置においては、手挿入部の中央部から噴出する高速空気流の風量をさらに多くするとともに、ノズル穴の直径を大きくして中心風速の減衰を少なくすることができるので、手に衝突する高速空気流の量を多く且つ速度を速くすることができ、効率の良い乾燥性能の手乾燥装置とすることができる。【００３７】
実施の形態１０．
図１１は本発明にかかる手乾燥装置の実施の形態１０の前側ノズル及び奥側ノズルの形状を示す図である。本実施の形態のノズル４Ｋにおいては、中央部に設けるノズル穴２２を左右方向と上下方向に長い十文字型のスリット形状のものとして、他の部分に設ける穴組１４をノズル穴が左右方向のみに並ぶ形状のものとすることにより、穴列の中央部から噴出する高速空気流の風量を多くしている。穴列（ノズル）の全体の長さは、両手を広げて並べた程度の長さとされている。そのうち、中央部に設けられたノズル穴２２の左右方向長さは、並んだ両親指の占める左右方向幅寸法程度の長さとされている。【００３８】
このような構成の手乾燥装置においては、手挿入部の中央部から噴出する高速空気流の風量をさらに多くするとともに、スリット形状のノズル穴は均一噴流により風速の減衰をさらに少なくすることができるので、手に衝突する高速空気流の量を多く且つ速度を速くすることができ、効率の良い乾燥性能の手乾燥装置とすることができる。【００３９】
なお、本実施の形態のスリット形状のノズル穴２２は十文字型を成すものであるが、概略左右方向と上下方向に延びる形状のものであればよく、例えば、斜めに交わるものであっても、Ｔ字型をなすものであっても所定の効果は得ることができる。【００４０】
上述の実施の形態１から１０の手挿入部２は、手乾燥装置の箱体１に、正面と側面に開口して形成されているが、手挿入部は正面のみに開口を有するものであってもよい。
【図１】
2008001436.tif 000003
【図２】
2008001436.tif 000004
【図３】
2008001436.tif 000005
【図４】
2008001436.tif 000006
【図５】
2008001436.tif 000007
【図６】
2008001436.tif 000008
【図７】
2008001436.tif 000009
【図８】
2008001436.tif 000010
【図９】
2008001436.tif 000011
【図１０】
2008001436.tif 000012
【図１１】
2008001436.tif 000013
【図１２】
2008001436.tif 000014
【国際調査報告】
2008001436.tif 000015
2008001436.tif 000016
2008001436.tif 000017
2008001436.tif 000018